(57)【要約】【課題】型枠パネルの組立てと解体を簡単に行えると共に、健全なパーツの廃棄処分をせずに型枠パネルを再生できて、型枠パネルに改良を加えずに壁用、柱用、スラブ用型枠として多用途に使用できて汎用性に優れた型枠パネルを提供すること。【解決手段】パネル本体２０と、パネル本体２０の裏面に取り付けた格子フレーム３０とを有し、格子フレーム３０及びパネル本体２０が複数組の係脱手段を介して組み付け及び組付け解除が可能であること。【選択図】図２
2017190630.tif 000002
【特許請求の範囲】
【請求項１】
パネル本体と、該パネル本体の裏面に取り付けた格子フレームとを有する型枠パネルであって、
前記格子フレームが間隔を隔てて並列された複数の縦リブと、間隔を隔てて前記縦リブと交差して並設され、矩形波状を呈する複数の横リブとを具備し、
前記格子フレーム及びパネル本体が複数組の係脱手段を介して組み付け及び組付け解除が可能であることを特徴とする、
型枠パネル。
【請求項２】
前記格子フレーム及びパネル本体が、パネル本体に対する格子フレームのスライド変位による一体組み付け及びパネル本体に対する格子フレームの逆向きのスライド変位による組付け解除が可能な複数組の係脱手段を具備していることを特徴とする、請求項１に記載の型枠パネル。
【請求項３】
前記係脱手段がパネル本体の裏面に立設した係止ピンと、格子フレームに開設した係止穴との組み合せ、又はパネル本体の裏面に立設した係止フックと、格子フレームに開設したスリットとの組み合せの何れかひとつであることを特徴とする、請求項１または２に記載の型枠パネル。
【請求項４】
木製パネルの裏面に木製パネルの片方から突出させた複数の桟木を具備した木製の補助型枠パネルと組合せて使用する型枠パネルであって、前記パネル本体の裏面と格子枠フレームとの間に、前記複数の桟木を挿入可能な複数の係合孔を有することを特徴とする、請求項１又は２に記載の型枠パネル。
【請求項５】
パネル本体の縦リブ方向の長さが格子フレームの縦リブ方向の長さより大きい関係にあり、格子フレームの端部からはみ出た部分にパネル本体の余長部が形成されていることを特徴とする、請求項１乃至３の何れか一項に記載の型枠パネル。
【発明の詳細な説明】
【技術分野】
【０００１】
本発明は建築土木用途に用いられる型枠パネルに関する。
【背景技術】
【０００２】
木製のパネル本体と、パネル本体の裏面に縦横方向に付設した木製の桟木からなる木製の型枠パネルは、取扱性、現場加工性、コスト等が優れていることからビルやマンション等の建築用途では広く用いられている。
【０００３】
木製の型枠パネルはサイズが標準化されていることから、型枠サイズが不足する場合は、別途の型枠パネルをカットしたものを継ぎ足して対処している。
しかしながら、この対処法は、型枠パネルの継部の強度確保の問題、大量の型枠パネルを必要とすることに起因した型枠コストとスペース確保の問題、型枠パネルのカットした残りの廃材処理の問題等の多くの問題点を内包している。
【０００４】
出願人はこれらの問題を解消するために、現場における長さ(高さ)調整が可能な型枠パネルを先に提案した(特許文献１)。
この型枠パネルは、樹脂又はアルミ素材で形成した基準型枠パネルと、木製の補助型枠パネルとを組み合せたものである。
基準型枠パネルはそのパネル本体の裏面に長手方向に沿って複数条の係合孔が並設されている。補助型枠パネルは木製のパネル本体と、パネル本体の裏面に付設した木製で長尺の桟木とを具備している。
基準型枠パネルは、樹脂製のパネル本体と、パネル本体の裏面に間隔を隔てて並設した樹脂製又はアルミ製の複数組の縦ガイドとを有している。
各縦ガイドはパネル本体の補強部材を兼ねていて、パネル本体の裏面に接着剤を介して固着した一対のガイド部材と、一対のガイド部材に跨って固着した連結板とからなり、その中心部に補助型枠パネルの桟木を挿通可能な係合孔を形成している。
現場で使用する場合は、不足分の寸法に合わせて補助型枠パネルをカットした後に、補助型枠パネルから延出した桟木を基準型枠パネルの係合孔に差し込むことで両パネルを合体させて一枚ものの型枠パネルを組立てている。
【先行技術文献】
【特許文献】
【０００５】
【特許文献１】特開平１０−１３１４８１号公報号公報
【発明の概要】
【発明が解決しようとする課題】
【０００６】
従来の型枠パネルにはつぎのような改善すべき点がある。
＜１＞樹脂製のパネル本体は木製と比べて使用回数が大幅に増える一方で、使用回数に比例してパネル本体の表面が粗面化してくる。
従来の基準型枠パネルはパネル本体が縦ガイドと分離不能に固着された構造となっているために、パネル本体が老朽化した場合には、健全な縦ガイドを含めて基準型枠パネル全体を廃棄処分しなければならず不経済である。
＜２＞型枠パネルにはコンクリートの打設圧に対抗し得るだけの強度が付与されていて、曲げ変形がし難い構造となっている。
そのため、脱型する際に大きな剥離力を加えなければならず、脱型に多くの労力と時間を要していた。
人力のみによる脱型が困難なときは、パネル本体とコンクリート躯体の間にバール等の剥離用工具を差し込んで脱型しているが、鋭利な剥離用工具を用いるとコンクリート躯体やパネル本体が損傷するといった問題が生じる。
＜３＞従来の型枠パネルはパネル本体と補強部材が分離不能な一体構造となっているために重量が重たく、運搬性と取扱性に改善の余地がある
【０００７】
本発明は以上の点に鑑みて成されたもので、その目的とするところはつぎの型枠パネルを提供することにある。
＜１＞型枠パネルの組立てと解体を簡単に行えること。
＜２＞型枠パネルの運搬性と取扱性を改善できること。
＜３＞簡単かつ小さな剥離力で脱型できること。
＜４＞健全なパーツの廃棄処分をせずに型枠パネルを再生できること。
＜５＞型枠パネルに改良を加えずに壁用、柱用、スラブ用型枠として多用途に使用できて汎用性に優れること。
【課題を解決するための手段】
【０００８】
本発明は、パネル本体と、該パネル本体の裏面に取り付けた格子フレームとを有する型枠パネルであって、前記格子フレームが間隔を隔てて並列された複数の縦リブと、間隔を隔てて前記縦リブと交差して並設され、矩形波状を呈する複数の横リブとを具備し、前記格子フレーム及びパネル本体が複数組の係脱手段を介して組み付け及び組付け解除が可能であることを特徴とする。
本発明の他の形態において、前記格子フレーム及びパネル本体が、パネル本体に対する格子フレームのスライド変位による一体組み付け及びパネル本体に対する格子フレームの逆向きのスライド変位による組付け解除が可能な複数組の係脱手段を具備している。
本発明の他の形態において、前記係脱手段がパネル本体の裏面に立設した係止ピンと、格子フレームに開設した係止穴との組み合せ、又はパネル本体の裏面に立設した係止フックと、格子フレームに開設したスリットとの組み合せである。
本発明の他の形態において、木製パネルの裏面に木製パネルの片方から突出させた複数の桟木を具備した木製の補助型枠パネルと組合せて使用する型枠パネルであって、前記パネル本体の裏面と格子枠フレームとの間に、前記複数の桟木を挿入可能な複数の係合孔を有している。
本発明の他の形態において、パネル本体の縦リブ方向の長さが格子フレームの縦リブ方向の長さより大きい関係にあり、格子フレームの端部からはみ出た部分にパネル本体の余長部が形成されている。
【発明の効果】
【０００９】
本発明はつぎの効果を奏する。
＜１＞格子フレーム及びパネル本体が複数組の係脱手段を介して組み付け及び組付け解除が可能であるから、分離した格子フレームと型枠パネルを個別に取扱いできるので、従来と比べて型枠パネルの運搬性と取扱性が格段に良くなる。
＜２＞パネル本体に対する格子フレームの組み付け及び組付け解除をパネル本体のスライド操作のみによるワンタッチで簡単にかつ短時間に行える。
＜３＞格子フレームを切り離した後にパネル本体のみを変形させてコンクリート躯体から剥離できるので、小さな剥離力で簡単に脱型できて脱型の作業性がよくなる。
＜４＞人力のみで脱型できるので、鋭利な剥離用工具を用いる必要がなくなり、コンクリート躯体や型枠パネルの損傷を回避できる。
＜５＞格子フレーム及びパネル本体が分離可能であるため、損傷又は劣化した型枠パネルのみの交換で型枠パネルを再生できて、健全な格子フレームを廃棄処分せずに済む。
＜６＞他の型枠パネルとの組み合せが簡単であり、型枠パネルに改良を加えずに壁用、柱用、スラブ用型枠として多用途に使用できて汎用性に優れる。
【図面の簡単な説明】
【００１０】
【図１】裏面側から見た本発明に係る型枠パネルの斜視図
【図２】係止穴と係止ピンの組み合せた係脱手段例の説明図で、（ａ）は格子フレームとパネル本体の組付け前の斜視図、（ｂ）は組付け後における係脱手段の縦断面図
【図３】スリットと係止フックの組み合せた係脱手段例の説明図で、（ａ）は格子フレームとパネル本体の組付け前の斜視図、（ｂ）は組付け後における係脱手段の縦断面図
【図４】ボルト孔とボルトの組み合せた係脱手段例の説明図で、（ａ）は格子フレームとパネル本体の組付け前の斜視図、（ｂ）は組付け後における係脱手段の縦断面図
【図５】補助型枠パネルと組合せた型枠パネルの使用例の説明図で、（ａ）は一部を省略した両型枠の斜視図、（ｂ）は両型枠の突合せ部の縦断面図
【図６】補助パネルと組合せた型枠パネルの使用例の説明図で、両型枠の突合せ部の断面図
【図７】縦型枠パネルと組合せた型枠パネルの使用例の説明図で、突き合せた両型枠の端部の端部の縦断面図
【発明を実施するための形態】
【００１１】
以下に図面を参照しながら本発明について詳しく説明する。
【００１２】
＜１＞型枠パネルの概要
図１を参照して説明すると、型枠パネル１０は表面２１および裏面２２を有するパネル本体２０と、複数組の係脱手段を介してパネル本体２０の裏面２２に対して組付け及び組付け解除可能な格子フレーム３０とを有している。
【００１３】
＜２＞パネル本体
パネル本体２０は矩形を呈する板体である。本例ではパネル本体２０が長方形を呈する形態を示すが、方形や多角形等の形状であってもよい。
【００１４】
＜２．１＞パネル本体の素材
パネル本体２０の素材は、木製、合成樹脂製、金属製等の公知の素材を含み、使途に応じて選択する。
成形面の耐久性を考慮すると、合成樹脂製の基板表面を繊維強化樹脂（ＧＦＲＰ等）又はアルミニウムの被膜で被覆した複合材が好適であり、経済性を考慮すると木製合板が好適である。
【００１５】
＜２．２＞パネル本体と格子フレームの寸法関係
本例ではパネル本体２０の縦(高さ)寸法が格子フレーム３０の縦寸法より僅かに（１０〜１５ｃｍ程度）大きい関係にあり、パネル本体２０を格子フレーム３０に一体化したときに寸法差によるパネル本体２０の余長部２３を形成する形態について示すが、両部材２０，３０の縦寸法は同一寸法であってもよい。
【００１６】
＜３＞格子フレーム
格子フレーム３０は間隔隔てて並列した帯状を呈する複数の縦リブ３１と、間隔を隔てて縦リブ３１の横断方向に向けて並列した帯状を呈する複数の横リブ３５とを交差させて一体に形成した剛性フレームである。
【００１７】
＜３．１＞格子フレームの素材
格子フレーム３０の素材は、合成樹脂製、アルミニウム等の金属製等の公知の素材を含み、使途に応じて選択する。
格子フレーム３０が合成樹脂製の場合は一体成型により製作し、金属製の場合は金属板を打ち抜いた後に折曲加工を行うことで簡単に製作できる。
【００１８】
＜３．２＞縦リブ
縦リブ３１は真直ぐな帯板であり、パネル本体２０の裏面２２に対して起立状態で配置される。
最外方に位置する縦リブ３１はその板面に複数の連結孔３２を有していて、この連結孔３２は型枠パネル１０の組立て時に公知のクリップ等の連結治具を差し込んで隣接した型枠パネル１０間を固定する。
【００１９】
＜３．３＞横リブ
横リブ３５は帯板を矩形波状に屈曲させた折曲板であり、パネル本体２０の裏面に接する接面部３６と、パネル本体２０の裏面から離隔する離面部３７とを交互に形成している。
横リブ３５を矩形波状に形成したのは、接面部３６を通じてパネル本体２０の裏面と接面しつつ、格子フレーム３０の両側端部と中央部にパネル本体２０の長手方向（縦向き）に沿って連続した挿入空間である係合孔Ｓ１，Ｓ２を形成するためである。
【００２０】
＜３．４＞係合孔
側端部の係合孔Ｓ１は１本の桟木等を挿入可能な寸法に形成してあり、中央の係合孔Ｓ２は複数本の桟木等を挿入可能なように横長に形成してある。
係合孔Ｓ１，Ｓ２内に木製桟木を挿入して使用する場合、必要に応じて縦横リブ３１，３５の板面の適宜の位置に釘やビス等を挿通可能な小孔３３を穿設しておくとよい。
【００２１】
＜４＞係脱手段
パネル本体２０と格子フレーム３０は、格子フレーム３０側から操作可能な複数組の係脱手段を介して組付け及び組付け解除（分離）が可能な構造になっている。
係脱手段の形成数は型枠パネル１０の寸法等を考慮して適宜選択する。
係脱手段は、少なくともパネル本体２０に対する格子フレーム３０のスライド変位による一体組み付け、及びパネル本体２０に対する格子フレーム３０の逆向きのスライド変位による組付け解除が可能な手段であればよい。
図２〜４を参照して複数の係脱手段について説明するが、係脱手段はこれらの例示形態に限定されるものではない。
【００２２】
＜４．１＞係止穴と係止ピンの組み合せ
図２はパネル本体２０の裏面２２に立設した係止ピン２４と、格子フレーム３０の接面部３６に開設した係止穴３６ａとを組み合せた係脱手段例を示す。
係止穴３６ａはダルマ形又は縦長の楕円形を呈している。
係止ピン２４は接面部３６の板厚とほぼ同じ長さ分をパネル本体２０の裏面２２から突出させた軸部２４ａと、軸部２４ａよりの大径の頭部２４ｂを有している。
組付け時は、係止穴３６ａが係止ピン２４の大径頭部２４ｂを挿通するように、格子フレーム３０をパネル本体２０の裏面２２に押し付けて僅かにスライドさせるだけの簡単な操作で、係止ピン２４を係止穴３６ａに係止できる。分離する時は組付け時の逆の操作を行うことで格子フレーム３０をパネル本体２０から分離できる。
【００２３】
＜４．２＞スリットと係止フックの組み合せ
図３はパネル本体２０の裏面２２に立設した鉤形を呈する係止フック２５と、格子フレーム３０の接面部３６の下半に開設したスリット３６ｂとを組み合せた係脱手段例を示す。
スリット３６ｂは係止フック２５を挿通可能な溝幅を有している。
スリット３６ｂを挿通させた係止フック２５の起立部２５ａが接面部３６の裏面に当接することで両部材２０，３０が一体化する。
本例における組付け操作と分離操作は上記した形態と同様である。
【００２４】
＜４．３＞ボルト孔とボルトの組み合せ
図４はパネル本体２０の裏面２２に立設したボルト２６、ナット２７と、格子フレーム３０の接面部３６に形成したボルト孔３６ｃとを組み合せた係脱手段例を示す。
ボルト孔３６ｃに挿通させてボルト２６にナット２７を螺着することで、格子フレーム３０をパネル本体２０に組み付けでき、ナット２７を取り外すことで両部材２０，３０を分離できる。
【００２５】
＜４．４＞ボルト孔とビスの組み合せ
図示を省略するが、格子フレーム３０の接面部３６側からビスをねじ込んで格子フレーム３０をパネル本体２０に組み付けてもよい。
分離する場合は、格子フレーム３０側からビスを取り外すことで格子フレーム３０をパネル本体２０から切り離すことが可能である。
【００２６】
＜４．５＞係止ピン等の取付け時期
上記した係止ピン２４、係止フック２５等は製造環境の整った工場等でパネル本体２０に取り付けもよいが、現場において作業員がパネル本体２０に取り付けてもよい。
【００２７】
［型枠パネルの使用方法］
つぎに既述した型枠パネル１０の使用方法について説明する。
【００２８】
＜１＞搬出入
型枠パネル１０を構成するパネル本体２０と格子フレーム３０とが分離している。
そのため、分離したパネル本体２０と格子フレーム３０とを同種単位で並べて保管できる。
また型枠パネル１０を分離した形態でパネル本体２０と格子フレーム３０を個別に搬出入できるので、従来と比べて型枠パネル１０の搬出入性がよくなる。
【００２９】
＜２＞型枠パネルの組立て
パネル本体２０と交差パネル３０は着脱可能な複数の係脱手段を有している。
そのため、交差パネル３０をパネル本体２０の裏面２２に押し当ててスライド操作するだけのワンタッチ操作で以て型枠パネル１０を簡単に組立てできる。
複数の型枠パネル１０を使用して所望の囲繞形状に組み立ててコンクリート打設に供する。
【００３０】
＜３＞脱型
従来の型枠パネルは剛性が高いために大きな剥離力が必要であった。
これに対し本発明の型枠パネル１０は、格子フレーム３０を組立て時の逆方向に操作することで簡単にパネル本体２０から分離して取り外すことができる。
残置されたパネル本体２０は弾性変形が可能であるため、本体パネル２０の一部に小さな剥離力を加えることで、パネル本体２０が捲れ上ってコンクリート躯体から剥離するので簡単に脱型できる。
【００３１】
＜４＞型枠資材の交換
型枠パネル１０を構成するパネル本体２０が損傷したときは、パネル本体２０を取り外して新規のパネル本体２０と交換できる。
格子フレーム３０が変形破損した場合も同様に格子フレーム３０のみを交換できる。
このように型枠パネル１０では必要最小限の資材を交換できるので、健全資材が損傷資材と共に廃棄処分されることがない。
【００３２】
［型枠パネルの使用例］
つぎに既述した型枠パネル１０の使用例について説明する。
【００３３】
＜１＞補助型枠パネルとの組み合せ例
図５を参照して型枠パネル１０に補助型枠パネル４０を組み合せてコンクリート製の壁や柱等を施工する形態について説明する。
補助型枠パネル４０は木製型枠であり、木製パネル４１と、木製パネル４１の裏面に木製パネル４１の片方から突出させた複数の桟木４２とを具備している。木製パネル４１の最上辺には補強用桟木４３が固着してある。
複数の桟木４２は型枠パネル１０の係止孔Ｓ１，Ｓ２に内挿可能な間隔で配置してある。
型枠パネル１０単独では高さが不足する場合は、補助型枠パネル４０を不足分の長さに対応するように鋸等でカットし、複数の桟木４２を型枠パネル１０の係止孔Ｓ１，Ｓ２に内挿して一体化することで、型枠パネル１０の高さ不足を解消できる。
桟木４２を係合孔Ｓ１，（Ｓ２）に挿通する際、補強リブ３５や縦リブ３１に開孔した小孔３３を通じて釘やビス類等の固定具４４を打ち込んで固定するとよい。
【００３４】
＜２＞補助パネルとの組み合せ例
図６を参照して型枠パネル１０に補助パネル５０を組み合せてコンクリート製のスラブ等を施工する形態について説明する。
本例では左右両側に水平に配置した型枠パネル１０Ａ，１０Ｂの突合せ箇所に型枠が不足する場合の使用例を示すもので、同一平面上に配置した型枠パネル１０Ａ，１０Ｂのパネル本体２０，２０の間に帯状の補助パネル５０を介装することで、型枠の不足を補うことができる。
なお、型枠支保工を構成する根太パイプ５１は型枠パネル１０Ａ，１０Ｂと補助パネル５０の下面に跨って配置してあり、大引き５２は根太パイプ５１の下方に根太パイプ５１と直交方向に配設してある。
【００３５】
＜３＞縦型枠パネルとの組み合せ例
図７を参照して型枠パネル１０に縦型枠パネル６０を組み合せてコンクリート製のスラブと壁、スラブと柱の端部の納まりの形態について説明する。
縦型枠パネル６０はパネル本体６１と、パネル本体６１の裏面に付設した縦横方向の桟木６２，６３を有している。
スラブ用型枠として本発明の型枠パネル１０を用いる場合、パネル本体２０の端部に余長部２３が形成されているので、余長部２３を活用することで縦型枠パネル６０のパネル本体６１と隙間なく接合して間隙形成用型枠１０を組立てできる。
【符号の説明】
【００３６】
１０・・・・・型枠パネル
２０・・・・・パネル本体
２３・・・・・パネル本体の余長部
２４・・・・・係止ピン
２５・・・・・係止フック
２６・・・・・ボルト
３０・・・・・格子フレーム
３１・・・・・縦リブ
３２・・・・・横リブ
３６・・・・・接面部
３６ａ・・・・係止穴
３６ｂ・・・・スリット
３６ｃ・・・・ボルト孔
３７・・・・・裏面部
４０・・・・・補助型枠パネル
４１・・・・・木製パネル
４２・・・・・桟木
５０・・・・・補助パネル
６０・・・・・縦型枠パネル
【図１】
2017190630.tif 000003
【図２】
2017190630.tif 000004
【図３】
2017190630.tif 000005
【図４】
2017190630.tif 000006
【図５】
2017190630.tif 000007
【図６】
2017190630.tif 000008
【図７】
2017190630.tif 000009